(57)【要約】  送信装置が、放送波に重畳されて送信されたＴＬＶパケットが含むＴＭＣＣ情報からＴＬＶパケットのスロット情報及びストリーム識別情報を取得し、受信したＴＬＶパケットにスロット情報に対応するストリーム識別情報を挿入する復調回路と、復調回路が復調した復調信号をケーブル放送向けにＱＡＭ変調する送信側バックエンド処理回路を備える。
2020174852.tif 000002
【特許請求の範囲】
【請求項１】
放送波に重畳されて送信されたＴＬＶパケットが含むＴＭＣＣ情報から前記ＴＬＶパケットのスロット情報及びストリーム識別情報を取得し、受信した前記ＴＬＶパケットに前記スロット情報に対応する前記ストリーム識別情報を挿入する復調回路。
【請求項２】
前記ＴＬＶパケットのヘッダ部分に対してパケット種別に該当する領域のうち上位に位置するデータ長が４ビットのデータを前記データ長が４ビットの前記ストリーム識別情報のデータに置換することで、受信した前記ＴＬＶパケットに前記スロット情報に対応する前記ストリーム識別情報を挿入する請求項１に記載した復調回路。
【請求項３】
前記ＴＬＶパケットのパケットヘッダに該当する領域のうち連続した４ビットのデータをデータ長が４ビットの前記ストリーム識別情報のデータに置換することで、受信した前記ＴＬＶパケットに前記スロット情報に対応する前記ストリーム識別情報を挿入する請求項１に記載した復調回路。
【請求項４】
前記ＴＬＶパケットのパケットヘッダに該当する領域及びパケット種別に該当する領域のうち前記パケットヘッダのデータ長を示す領域を除く連続した４ビットのデータをデータ長が４ビットの前記ストリーム識別情報のデータに置換することで、受信した前記ＴＬＶパケットに前記スロット情報に対応する前記ストリーム識別情報を挿入する請求項１に記載した復調回路。
【請求項５】
データ長が４ビットの前記ストリーム識別情報のデータを前記ＴＬＶパケットのデータ部の前または後に挿入することで、受信した前記ＴＬＶパケットに前記スロット情報に対応する前記ストリーム識別情報を挿入する請求項１に記載した復調回路。
【請求項６】
前記パケット種別のうち伝送制御信号及びヌルパケットに割り当てられている値を、前記ストリーム識別情報のデータに置換する対象から除外する請求項２に記載した復調回路。
【請求項７】
前記ＴＬＶパケットがフレームの先頭にある場合には、前記ＴＬＶパケットのうちＴＬＶパケットの先頭を示すパケット種別である「０ｘ７Ｆ」の種別を「０ｘ４０」に変換する請求項１に記載した復調回路。
【請求項８】
放送波に重畳されて送信されたＴＬＶパケットが含むＴＭＣＣ情報から前記ＴＬＶパケットのスロット情報とストリーム識別情報を取得し、受信した前記ＴＬＶパケットに前記スロット情報に対応する前記ストリーム識別情報を挿入する復調方法。
【請求項９】
前記ＴＬＶパケットのヘッダ部分に対してパケット種別に該当する領域のうち上位に位置するデータ長が４ビットのデータを前記データ長が４ビットの前記ストリーム識別情報のデータに置換することで、受信した前記ＴＬＶパケットに前記スロット情報に対応する前記ストリーム識別情報を挿入する請求項８に記載した復調方法。
【請求項１０】
前記ＴＬＶパケットのパケットヘッダに該当する領域のうち連続した４ビットのデータをデータ長が４ビットの前記ストリーム識別情報のデータに置換することで、受信した前記ＴＬＶパケットに前記スロット情報に対応する前記ストリーム識別情報を挿入する請求項８に記載した復調方法。
【請求項１１】
前記ＴＬＶパケットのパケットヘッダに該当する領域及びパケット種別に該当する領域のうち前記パケットヘッダのデータ長を示す領域を除く連続した４ビットのデータをデータ長が４ビットの前記ストリーム識別情報のデータに置換することで、受信した前記ＴＬＶパケットに前記スロット情報に対応する前記ストリーム識別情報を挿入する請求項８に記載した復調方法。
【請求項１２】
データ長が４ビットの前記ストリーム識別情報のデータを前記ＴＬＶパケットのデータ部の前または後に挿入することで、受信した前記ＴＬＶパケットに前記スロット情報に対応する前記ストリーム識別情報を挿入する請求項８に記載した復調方法。
【請求項１３】
前記パケット種別のうち伝送制御信号及びヌルパケットに割り当てられている値を、前記ストリーム識別情報のデータに置換する対象から除外する請求項９に記載した復調方法。
【請求項１４】
前記ＴＬＶパケットがフレームの先頭にある場合には、前記ＴＬＶパケットのうちＴＬＶパケットの先頭を示すパケット種別である「０ｘ７Ｆ」の種別を「０ｘ４０」に変換する請求項８に記載した復調方法。
【請求項１５】
放送波に重畳されて送信されたＴＬＶパケットが含むＴＭＣＣ情報から前記ＴＬＶパケットのスロット情報及びストリーム識別情報を取得し、受信した前記ＴＬＶパケットに前記スロット情報に対応する前記ストリーム識別情報を挿入する復調回路と、
前記復調回路が復調した復調信号をケーブル放送向けにＱＡＭ変調する送信側バックエンド処理回路と、を備える送信装置。
【請求項１６】
前記復調回路は、前記ＴＬＶパケットのヘッダ部分に対してパケット種別に該当する領域のうち上位に位置するデータ長が４ビットのデータを前記データ長が４ビットの前記ストリーム識別情報のデータに置換することで、受信した前記ＴＬＶパケットに前記スロット情報に対応する前記ストリーム識別情報を挿入する請求項１５に記載した送信装置。
【請求項１７】
前記復調回路は、前記ＴＬＶパケットのパケットヘッダに該当する領域のうち連続した４ビットのデータをデータ長が４ビットの前記ストリーム識別情報のデータに置換することで、受信した前記ＴＬＶパケットに前記スロット情報に対応する前記ストリーム識別情報を挿入する請求項１５に記載した送信装置。
【請求項１８】
前記復調回路は、前記ＴＬＶパケットのパケットヘッダに該当する領域及びパケット種別に該当する領域のうち前記パケットヘッダのデータ長を示す領域を除く連続した４ビットのデータをデータ長が４ビットの前記ストリーム識別情報のデータに置換することで、受信した前記ＴＬＶパケットに前記スロット情報に対応する前記ストリーム識別情報を挿入する請求項１５に記載した送信装置。
【請求項１９】
前記復調回路は、データ長が４ビットの前記ストリーム識別情報のデータを前記ＴＬＶパケットのデータ部の前または後に挿入することで、受信した前記ＴＬＶパケットに前記スロット情報に対応する前記ストリーム識別情報を挿入する請求項１５に記載した送信装置。
【請求項２０】
前記パケット種別のうち伝送制御信号及びヌルパケットに割り当てられている値を、前記ストリーム識別情報のデータに置換する対象から除外する請求項１６に記載した送信装置。
【発明の詳細な説明】
【技術分野】
【０００１】
本開示に係る技術（本技術）は、放送波に重畳されて送信された１２０スロットの主信号を含むストリームを復調する復調回路と、復調回路を用いた復調方法と、復調回路を含む送信装置に関する。
【背景技術】
【０００２】
デジタル放送等に用いる信号処理の技術としては、例えば、特許文献１に開示されているように、復調処理を行う処理部とデマックス処理を行う処理部との間で、信号線を用いて可変長パケットを伝送するものがある。
【先行技術文献】
【特許文献】
【０００３】
【特許文献１】国際公開第２０１６／１９９６０３号
【発明の概要】
【発明が解決しようとする課題】
【０００４】
しかしながら、特許文献１に開示されている技術では、一つのストリームを選択して出力する構成であるため、１２０スロットの主信号を含む複数のストリームを全て出力する場合、ストリームの判別が困難である。このため、複数のストリームを全て出力する場合、ストリームを判別する必要があり、一般社団法人放送サービス高度化推進委員会（Ａ−ＰＡＢ）が、放送機器間の伝送を目的に、高度広帯域衛星デジタル放送テストストリームフォーマット仕様書を公開している。しかしながら、仕様書に公開されている伝送方式は、イーサネット（登録商標）を用いた伝送方式であり、ＬＳＩ間を伝送する目的に使用するには冗長且つ複雑なフォーマットであるという問題点がある。【０００５】
本技術は、上記問題点を鑑み、シンプルなフォーマットで、ストリームを判別することが可能な復調回路と、復調回路を用いた復調方法と、復調回路を含む送信装置を提供することを目的とする。
【課題を解決するための手段】
【０００６】
本技術の一態様に係る復調回路は、放送波に重畳されて送信されたＴＬＶパケットが含むＴＭＣＣ情報からＴＬＶパケットのスロット情報及びストリーム識別情報を取得し、受信したＴＬＶパケットにスロット情報に対応するストリーム識別情報を挿入する。【０００７】
本技術の一態様に係る復調方法は、放送波に重畳されて送信されたＴＬＶパケットが含むＴＭＣＣ情報からＴＬＶパケットのスロット情報とストリーム識別情報を取得し、受信したＴＬＶパケットにスロット情報に対応するストリーム識別情報を挿入する方法である。【０００８】
本技術の一態様に係る送信装置は、復調回路と、復調回路が復調した復調信号をケーブル放送向けにＱＡＭ変調する送信側バックエンド処理回路を備える。復調回路は、放送波に重畳されて送信されたＴＬＶパケットが含むＴＭＣＣ情報からＴＬＶパケットのスロット情報及びストリーム識別情報を取得し、受信したＴＬＶパケットにスロット情報に対応するストリーム識別情報を挿入する。
【図面の簡単な説明】
【０００９】
【図１】放送システムの構成を示す図である。
【図２】送信装置と受信装置の構成を示すブロック図である。
【図３】信号線の説明図である。
【図４】信号線の説明図である。
【図５】信号線で授受する信号の説明図である。
【図６】ＴＬＶパケットのパケット種別の構成を示す図である。
【図７】ＴＬＶパケットの構成を示す図である。
【図８】ストリームＩＤ挿入部が行う処理を示す図である。
【図９】送信装置の動作を示すフローチャートである。
【図１０】パーソナルコンピュータの構成例を示す図である。
【図１１】第１実施形態の変形例を示す図である。
【図１２】第１実施形態の変形例を示す図である。
【図１３】第１実施形態の変形例を示す図である。
【図１４】第１実施形態の変形例を示す図である。
【発明を実施するための形態】
【００１０】
以下、図面を参照して、本技術の実施形態を説明する。図面の記載において、同一又は類似の部分には同一又は類似の符号を付し、重複する説明を省略する。各図面は模式的なものであり、現実のものとは異なる場合が含まれる。以下に示す実施形態は、本技術の技術的思想を具体化するための装置や方法を例示するものであって、本技術の技術的思想は、下記の実施形態に例示した装置や方法に特定するものでない。本技術の技術的思想は、特許請求の範囲に記載された技術的範囲内において、種々の変更を加えることが可能である。
【００１１】
（第１実施形態）
送信装置１は、図１に示すように、受信装置２と、ネットワーク３と共に、放送システム１０を構成する。
放送システム１０は、デジタルケーブルテレビ放送に関わるシステムである。
【００１２】
送信装置１は、デジタルケーブルテレビ放送を行う放送局側の装置である。
受信装置２は、ネットワーク３を介して、送信装置１から送信された放送波を受信する。なお、ネットワーク３を介した送信は、放送されているコンテンツに係わる情報の送信とすることも可能である。
【００１３】
＜送信装置の構成＞
送信装置１は、図２に示すように、送信側チューナ１１と、復調回路１２と、送信側バックエンド処理回路１３を含む。なお、送信側チューナ１１と復調回路１２とを統合したＬＳＩにより、送信側チューナ１１と復調回路１２を構成してもよい。
送信側チューナ１１には、アンテナ４が接続される。アンテナ４は、衛星放送を受信するアンテナである。
復調回路１２は、送信側フロントエンド処理回路１２ａと、ストリームＩＤ挿入部１２ｂを含む。
【００１４】
図３に示すように、復調回路１２と送信側バックエンド処理回路１３は、複数本の信号線として、４本の信号線（シリアル伝送の場合）によって接続されている。
４本の信号線は、シンク信号線と、バリッド信号線と、クロック信号線と、データ信号線である。
【００１５】
シンク信号線は、シンク（ＳＹＮＣ）信号を伝送する１ビットの信号線である。バリッド信号線は、バリッド（ＶＡＬＩＤ）信号を伝送する１ビットの信号線である。クロック信号線は、クロック（ＣＬＫ）信号を伝送する１ビットの信号線である。
データ信号線は、データ（ＤＡＴＡ）信号を伝送する１ビットの信号線である。なお、データ信号線は、１ビットから８ビットに対応しており、１本から８本のうちいずれかの信号線で構成してもよい。例えば、シリアル伝送の場合、データ信号線は１本の信号線で構成され、８ビットのパラレル伝送の場合、データ信号線は、８本の信号線で構成される。
以下に説明するように、本技術によれば、データ信号線の本数（クロック信号の１周期で伝送するビット数）に応じて、シンク信号、バリッド信号、クロック信号をそれぞれ制御することが可能である。
【００１６】
なお、図４に示すように、復調回路１２と送信側バックエンド処理回路１３は、複数本の信号線として、４本の信号線に加え、さらに、エラー信号線を備える構成としても良い。
エラー信号線は、エラー（ＥＲＲ）の発生を示すエラー情報を伝送する１ビットの信号線である。なお、図３及び図４に示した信号線は、一例であり、他の信号を伝送する信号線が、復調回路１２と送信側バックエンド処理回路１３との間に設けられていても勿論良い。
【００１７】
図５に、クロック信号、シンク信号、バリッド信号、およびデータ信号の基本的な出力波形を示す。基本的な出力波形と定義したのは、各信号の役割について説明するためである。また、各信号の波形は、後述するように、送信側バックエンド処理回路１３が要求する条件を満たすように、また、消費電力を低減させる等の目的に応じて、適切に変更される。
【００１８】
クロック信号は、ＴＬＶを構成するデータの出力タイミングを表す信号である。クロック信号は、ＬレベルとＨレベルとを交互に繰り返す信号である。シンク信号は、ＴＬＶに含まれるパケットの先頭のタイミングを表す。シンク信号は、例えば、パケットの先頭のタイミングだけ、一時的に、Ｌ（Ｌｏｗ）レベルからＨ（Ｈｉｇｈ）レベルになる。バリッド信号は、ＴＬＶにおいて、パケットが存在する区間（有効区間）を表す。バリッド信号は、例えば、有効区間で、Ｈレベルになり、有効以外の区間（無効区間）で、Ｌレベルになる。データ信号は、ＴＬＶの信号であり、ＴＬＶパケットの全て、又は、一部が含まれる。パケットは、データ長（パケット長）が、例えば、４バイトから６５５３５バイトのうち、いずれかのパケットである。
なお、エラー信号線が設けられている場合、エラー信号も伝送される。エラー信号は、エラーが発生しているときにＨレベルになり、エラーが発生していないときにＬレベルになる。
復調回路１２から送信側バックエンド処理回路１３に供給されるデータ信号は、ＴＬＶパケットの全て、又は、ＴＬＶパケットの一部である。
【００１９】
送信側フロントエンド処理回路１２ａは、フレームを同期させるための信号であるフレーム同期信号の検出をトリガとして、フレーム毎に以下の処理を行う。なお、第１実施形態では、一例として、１つのフレームに、１２０のスロットが含まれている場合について説明する。
送信側フロントエンド処理回路１２ａは、ＡＰＳＫ（振幅位相変調）方式やＰＳＫ方式の主信号を復調する。これに加え、送信側フロントエンド処理回路１２ａは、π／２シフトＢＰＳＫ変調方式の伝送ＴＭＣＣ信号を復調する。伝送ＴＭＣＣ信号とは、ＴＭＣＣ（Ｔｒａｎｓｍｉｓｓｉｏｎ  ＆  Ｍｕｌｔｉｐｌｅｘｉｎｇ  Ｃｏｎｆｉｇｕｒａｔｉｏｎ  Ｃｏｎｔｒｏｌ）信号にＢＣＨ符号やＬＤＰＣ符号が付加された信号である。なお、各フレームのＴＭＣＣ信号には、フレームを構成する各スロットに関するＴＭＣＣ情報が含まれている。さらに、送信側フロントエンド処理回路１２ａは、ＴＭＣＣ信号に対して、ＢＣＨ符号を復合する外符号誤り検出訂正処理及びＬＤＰＣ符号を復合する内符号誤り検出訂正処理を施すことによって、ＴＭＣＣ情報を得る。また、送信側フロントエンド処理回路１２ａは、ＴＭＣＣ情報に含まれている、対象フレームの各スロットが含む主信号の復調に必要な情報に基づいて、対象フレームの各スロットが含む主信号を復調する。なお、主信号の復調に必要な情報とは、例えば、各スロットのキャリア変調方式を示すパラメータや、ＬＤＰＣ符号の符号化率を示すパラメータである。さらに、送信側フロントエンド処理回路１２ａは、スロットの主信号に対してデインタリーブ処理を施す。
【００２０】
さらに、送信側フロントエンド処理回路１２ａは、誤り訂正符号としてＢＣＫ符号やＬＤＰＣ符号を用いた誤り訂正方式により、送信側フロントエンド処理回路１２ａから入力を受けた復調信号の誤り訂正を行う。また、送信側フロントエンド処理回路１２ａは、誤り訂正を行うことで得られたＴＬＶパケット（複数のＴＬＶパケット）を、ストリームＩＤ挿入部１２ｂに出力する。
【００２１】
パケット種別の領域は、ＴＬＶパケットに格納するパケットの種別を識別するために使用する領域として割り当てられている（図６を参照）。
データ長の領域は、図７に示すように、データ長の領域よりも後に続くデータビット数が書き込まれる領域である。データの領域（データ領域）は、データビット数が８×Ｎビットであり、可変長の領域であるとともに、デジタル放送のデータ（画像・音声等）が書き込まれる領域である。
【００２２】
ストリームＩＤ挿入部１２ｂは、受信したＴＬＶパケットが含むＴＭＣＣ情報から、ＴＬＶパケットのスロット情報と、ＴＬＶパケットのストリーム識別情報（以降の説明では、「ストリームＩＤ」と記載する場合がある）を取得する。ストリームＩＤ挿入部１２ｂが取得したストリームＩＤは、データ長が４ビットであり、１２０のスロットのそれぞれに固有の情報である。すなわち、ストリームＩＤ挿入部１２ｂは、受信したＴＬＶパケットが含むＴＭＣＣ情報から、スロットの数と同じ１２０のストリームＩＤ（４ビット×１２０スロット分）を取得する。
さらに、ストリームＩＤ挿入部１２ｂは、受信したＴＬＶパケットに、スロット情報に対応するストリームＩＤを挿入する処理を実行する。ストリームＩＤ挿入部１２ｂがストリームＩＤを挿入する処理では、ＴＬＶパケットのうちデータ長が４ビットの連続したデータを、データ長が４ビットのストリームＩＤのデータに置換する処理を行うことで、ストリームＩＤをＴＬＶパケットに埋め込む。
第１実施形態では、一例として、図８に示すように、ＴＬＶパケットのヘッダ部分に対し、パケット種別に該当する領域のうち上位の４ビットにストリームＩＤ（図中では、「ＩＤ」と示す）を挿入する処理を行う場合について説明する。この場合、パケット種別に該当する領域のうち（送出順で）上位に位置するデータ長が４ビットのデータを、データ長が４ビットのストリームＩＤのデータに置換する処理を行う。
【００２３】
また、ＴＬＶパケットのうち、データ長が４ビットのストリームＩＤのデータに置換する対象は、図６に示す種別のうち、例えば、伝送制御信号に割り当てられている値（「０ｘＦＥ」）と、ヌルパケットに割り当てられている値（「０ｘＦＦ」）を除く値から選択する。すなわち、ストリームＩＤ挿入部１２ｂがストリームＩＤを挿入する処理では、パケット種別のうち伝送制御信号及びヌルパケットに割り当てられている値を、ストリームＩＤのデータに置換する対象から除外する。
なお、ＴＬＶパケットがフレームの先頭にある場合には、ＴＬＶパケットのうち、ＴＬＶパケットの先頭を示すパケット種別である「０ｘ７Ｆ」の種別を「０ｘ４０」に変換してもよい。すなわち、ＴＬＶパケットがフレームの先頭にある場合には、ＴＬＶパケットのうち、ＴＬＶパケットの先頭を示すパケット種別である「０ｘ７Ｆ」の種別を「０ｘ４０」に反転してもよい。この場合、後段の構成で「０ｘ４０」のパケット種別を判別することが可能となり、フレームの先頭を判別することが可能となる。したがって、ＴＬＶパケットのヘッダに、フレームの先頭位置を示すデータを埋め込むことで、フレームの先頭を判別する構成を必要とせずに、フレームの先頭を判別することが可能となり、データをフレーム単位で切り出すことが可能となる。このため、冗長且つ複雑なフォーマットを必要とせずに、フレームの先頭を判別することが可能となる。
【００２４】
送信側バックエンド処理回路１３は、復調回路１２から供給された放送波をデジタルケーブルテレビ放送の放送波に変換する。そして、変換した放送波（デジタル放送波）を、ケーブル（ケーブルテレビ伝送路）を介して受信装置２へ送信する。一例として、送信装置１から受信装置２へ送信するデジタル放送波は、２５６ＱＡＭ変調方式で変調した２つの搬送波と、６４ＱＡＭ変調方式で変調した１つの搬送波を含んで分割伝送する。
【００２５】
送信装置１は、主信号の送信に必要な伝送容量に応じた変調方式として、６４ＱＡＭ変調方式と２５６ＱＡＭ変調方式を用いる。そして、送信装置１は、スロットを単位として主信号を生成する。このとき、送信装置１は、各スロットの主信号を、主信号のスロットについて選択した変調方式で変調する。したがって、送信装置１では、ＴＬＶパケットを分割ＴＬＶパケットに変換し、さらに、ケーブル変調をかけて、受信装置２にケーブルを介して送信する。
【００２６】
以上説明したように、送信装置１は、ストリームＩＤ挿入部１２ｂを含む復調回路１２を備える。ストリームＩＤ挿入部１２ｂは、放送波に重畳されて送信されたＴＬＶパケットが含むＴＭＣＣ情報から、ＴＬＶパケットのスロット情報とストリームＩＤを取得する。これに加え、ストリームＩＤ挿入部１２ｂは、受信したＴＬＶパケットに、スロット情報に対応するストリームＩＤを挿入する処理を行う。さらに、送信装置１は、復調回路１２が復調した復調信号をデジタルケーブルテレビ放送の放送用にＱＡＭ変調する送信側バックエンド処理回路１３を備える。
また、上述したように、衛星放送は、ＭＭＴ・ＴＬＶ方式のデジタル放送波として放送される。このため、送信装置１は、ＭＭＴ・ＴＬＶ方式のデジタル放送波を、デジタルケーブルテレビ放送の放送波として、分割ＴＬＶパケットに変換して送信する。
【００２７】
＜受信装置の構成＞
受信装置２は、図２に示すように、受信側チューナ２１と、受信側フロントエンド処理回路２２と、受信側バックエンド処理回路２３を備える。
受信側チューナ２１は、送信装置１からケーブルを介して送信されてきたデジタル放送波（分割ＴＬＶパケット）を受信し、受信側フロントエンド処理回路２２に供給する。
【００２８】
受信側フロントエンド処理回路２２は、復調処理を扱うＬＳＩである。受信側バックエンド処理回路２３は、デマックス処理を扱うＬＳＩである。受信側フロントエンド処理回路２２と受信側バックエンド処理回路２３は、１つのＬＳＩで構成することも可能であり、また、異なるＬＳＩとして構成することも可能である。受信側フロントエンド処理回路２２と受信側バックエンド処理回路２３を異なるＬＳＩで構成する場合、受信側フロントエンド処理回路２２は、後段の回路である受信側バックエンド処理回路２３が処理することが可能とする必要がある。すなわち、受信側フロントエンド処理回路２２と受信側バックエンド処理回路２３を異なるＬＳＩで構成する場合では、受信側バックエンド処理回路２３が要求する条件を満たすように、データを出力する必要がある。
以上により、受信側フロントエンド処理回路２２は、受信側バックエンド処理回路２３が要求する条件を満たす形で復調したデータを供給する。なお、以降の説明では、一例として、受信側フロントエンド処理回路２２と受信側バックエンド処理回路２３とを、異なるＬＳＩとして構成した場合を説明する。
【００２９】
受信側フロントエンド処理回路２２は、受信側チューナ２１が供給した受信信号のＱＡＭ変調を復調する。さらに、受信側フロントエンド処理回路２２は、誤り訂正符号としてリードソロモン符号を用いた誤り訂正方式により、復調信号の誤り訂正を行う。さらに、受信側フロントエンド処理回路２２は、誤り訂正を行うことで得られた分割ＴＬＶパケット、又は変換したＴＬＶパケットを、受信側バックエンド処理回路２３に供給する。
以上説明したように、受信側フロントエンド処理回路２２は、分割ＴＬＶパケットを取得する。よって、受信側フロントエンド処理回路２２からは、分割ＴＬＶパケット、又は変換したＴＬＶパケットが受信側バックエンド処理回路２３に出力される。
【００３０】
受信側バックエンド処理回路２３は、例えば、ＳＯＣ（Ｓｙｓｔｅｍ−ｏｎ−ａ−ｃｈｉｐ）を用いて形成されている。受信側バックエンド処理回路２３が行う処理は、受信側フロントエンド処理回路２２が出力した分割ＴＬＶパケット、又は変換したＴＬＶパケットを、例えば、動画コンテンツを、映像部分、音声部分、字幕部分等に分ける処理（デマックス処理）である。
【００３１】
また、受信側バックエンド処理回路２３には、受信側フロントエンド処理回路２２が出力した出力信号（シンク信号、バリッド信号、データ信号、クロック信号）が供給される。そして、受信側バックエンド処理回路２３は、供給された信号に含まれるデータ、例えば、映像データや音声データを分離する。さらに、受信側バックエンド処理回路２３は、映像データを映像信号にデコードする処理や、音声データを音声信号にデコードする処理を行うことで、映像や音声の信号を生成し、ディスプレイ５に出力する。
【００３２】
＜動作＞
以下、図１から図８を参照しつつ、図９を用いて、送信装置１が行う動作について説明する。
図９に示すように、送信装置１は、ステップＳ１にてフレーム同期信号を受信する度に、ステップＳ２からステップＳ４までの一連の処理を実行する。
ステップＳ２では、受信したＴＬＶパケットが含むＴＭＣＣ情報から、ＴＬＶパケットのスロット情報とストリームＩＤを取得する。
ステップＳ３では、受信したＴＬＶパケットのうちデータ長が４ビットの連続したデータを、データ長が４ビットのストリームＩＤのデータに置換する処理を行う。これにより、受信したＴＬＶパケットに、スロット情報に対応するストリームＩＤを挿入する処理を実行する。
ステップＳ４では、送信側バックエンド処理回路１３が、復調回路１２が復調した復調信号をケーブル放送向けにＱＡＭ変調した後に、受信装置２に出力する。
【００３３】
＜復調方法＞
第１実施形態の復調回路１２を用いて行う復調方法は、放送波に重畳されて送信されたＴＬＶパケットが含むＴＭＣＣ情報から、ＴＬＶパケットのスロット情報とストリームＩＤを取得する方法である。また、復調回路１２を用いて行う復調方法では、受信したＴＬＶパケットに、スロット情報に対応するストリームＩＤを挿入する。
【００３４】
従来のように、複数の放送局から送信されたＴＬＶパケットを合成するＴＬＶ合成装置を備える構成では、単位時間当たりのレートが高くなるため、クロック周波数が高くなるという問題点がある。
これに対し、第１実施形態の構成であれば、ＴＬＶパケットのうちデータ長が４ビットの連続したデータを、データ長が４ビットのストリームＩＤのデータに置換する。これにより、複数の放送局から送信されたＴＬＶパケットを合成する構成を必要とせずに、ストリームを判別することが可能となる。このため、冗長且つ複雑なフォーマットを必要とせずに、ストリームを判別することが可能となる。
【００３５】
したがって、第１実施形態の構成であれば、冗長且つ複雑なフォーマットを必要とせずに、ストリームを判別することが可能な、復調回路１２を提供することが可能となる。
また、第１実施形態の構成であれば、冗長且つ複雑なフォーマットを必要とせずに、ストリームを判別することが可能な復調方法を提供することが可能となる。
また、第１実施形態の構成であれば、冗長且つ複雑なフォーマットを必要とせずに、ストリームを判別することが可能な復調回路１２を含む送信装置１を提供することが可能となる。
【００３６】
＜変形例＞
第１実施形態では、パケット種別に該当する領域のうち（送出順で）上位に位置するデータ長が４ビットのデータを、データ長が４ビットのストリームＩＤのデータに置換する処理を行う構成としたが、これに限定するものではない。すなわち、図１１に示すように、パケットヘッダに該当する領域のうち連続した４ビットのデータを、データ長が４ビットのストリームＩＤのデータに置換する処理を行う構成としてもよい。なお、図１１では、図８と同様、ストリームＩＤを「ＩＤ」と示す。
また、図１２に示すように、パケットヘッダに該当する領域及びパケット種別に該当する領域のうち連続した４ビットのデータを、データ長が４ビットのストリームＩＤのデータに置換する処理を行う構成としてもよい。この場合、パケットヘッダのデータ長を示す「０１」の領域は、ストリームＩＤのデータに置換する対象から除外する。なお、図１２では、図８と同様、ストリームＩＤを「ＩＤ」と示す。
また、図１３に示すように、データ長が４ビットのストリームＩＤのデータを、データ部（図中では、「データ」と示す）の前に挿入する処理を行う構成としてもよい。この場合、データ部のデータ長は、１バイト増加させる（「１６」→「１７」）。なお、図１３では、図８と同様、ストリームＩＤを「ＩＤ」と示す。
また、図１４に示すように、データ長が４ビットのストリームＩＤのデータを、データ部（図中では、「データ」と示す）の後に挿入する処理を行う構成としてもよい。この場合、データ部のデータ長は、１バイト増加させる（「１６」→「１７」）。なお、図１４では、図８と同様、ストリームＩＤを「ＩＤ」と示す。
【００３７】
＜本技術を適用したコンピュータの説明＞
ところで、上述した一連の処理は、ハードウェアにより実行させることも可能であるが、ソフトウェアにより実行させることも可能である。一連の処理をソフトウェアにより実行させる場合には、ソフトウェアを構成するプログラムが、専用のハードウェアに組み込まれているコンピュータ等に、記録媒体からインストールされる。又は、ソフトウェアを構成するプログラムが、各種のプログラムをインストールすることで、各種の機能を実行することが可能な、汎用のパーソナルコンピュータ等に、記録媒体からインストールしてもよい。
【００３８】
図１２に、汎用のパーソナルコンピュータの構成例を示す。汎用のパーソナルコンピュータは、ＣＰＵ（Ｃｅｎｔｒａｌ  Ｐｒｏｃｅｓｓｉｎｇ  Ｕｎｉｔ）１００を内蔵している。ＣＰＵ１００には、バス１０１を介して、入出力インターフェース１０２が接続されている。バス１０１には、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０４が接続されている。
【００３９】
入出力インターフェース１０２には、ユーザが操作コマンドを入力するキーボード、マウス等の入力デバイスを用いて形成された入力部１０５と、処理操作画面や処理結果の画像を表示デバイスに出力する出力部１０６が接続されている。これに加え、入出力インターフェース１０２には、プログラムや各種データを格納するハードディスクドライブ等よりなる記憶部１０７が接続されている。さらに、入出力インターフェース１０２には、ＬＡＮ（Ｌｏｃａｌ  Ａｒｅａ  Ｎｅｔｗｏｒｋ）アダプタ等よりなり、インターネットに代表されるネットワークを介した通信処理を実行する通信部１０８が接続されている。
また、入出力インターフェース１０２には、磁気ディスク（フレキシブルディスクを含む）、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）を含む）が接続されている。さらに、入出力インターフェース１０２には、光磁気ディスク（ＭＤ（Ｍｉｎｉ  Ｄｉｓｃ）を含む）、又は、半導体メモリ等のリムーバブルメディア１０９に対してデータを読み書きするドライブ１１０が接続されている。
【００４０】
ＣＰＵ１００は、ＲＯＭ１０３に記憶されているプログラムや、記憶部１０７にインストールされて記憶部１０７からＲＡＭ１０４にロードされたプログラムに従って、各種の処理を実行する。記憶部１０７にインストールされるプログラムは、磁気ディスク、光ディスク、光磁気ディスク、半導体メモリ等のリムーバブルメディア１０９等から読み出される。
また、ＲＡＭ１０４には、ＣＰＵ１００が各種の処理を実行する上において必要なデータ等も、適宜記憶される。
以上のように構成されるコンピュータでは、ＣＰＵ１００が、例えば、記憶部１０７に記憶されているプログラムを、入出力インターフェース１０２及びバス１０１を介して、ＲＡＭ１０４にロードして実行する。これにより、上述した一連の処理が行われる。
【００４１】
コンピュータ（ＣＰＵ１００）が実行するプログラムは、例えば、パッケージメディア等としてのリムーバブルメディア１０９に記録して提供することが可能である。また、プログラムは、ローカルエリアネットワーク、インターネット、デジタル衛星放送といった、有線又は無線の伝送媒体を介して、提供することが可能である。
コンピュータでは、プログラムは、リムーバブルメディア１０９をドライブ１１０に装着することにより、入出力インターフェース１０２を介して、記憶部１０７にインストールすることが可能である。また、プログラムは、有線、又は、無線の伝送媒体を介して通信部１０８で受信し、記憶部１０７にインストールすることが可能である。その他、プログラムは、予め、ＲＯＭ１０３や記憶部１０７にインストールしておくことが可能である。
【００４２】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
さらに、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれもシステムである。
【００４３】
（その他の実施形態）
上記のように、本技術の実施形態を記載したが、この開示の一部をなす論述及び図面は本技術を限定するものであると理解すべきではない。この開示から当業者には様々な代替実施形態、実施例及び運用技術が明らかとなろう。その他、上記の実施形態において説明される各構成を任意に応用した構成等、本技術はここでは記載していない様々な実施形態等を含むことは勿論である。したがって、本技術の技術的範囲は上記の説明から妥当な特許請求の範囲に係る発明特定事項によってのみ定められるものである。
【００４４】
また、本開示の復調回路、復調方法、送信装置では、上記の実施形態等で説明した各構成要素を全て備える必要はなく、また逆に他の構成要素を備えていてもよい。なお、本明細書中に記載された効果はあくまで例示であって限定されるものでは無く、また他の効果があってもよい。例えば、本技術は、ネットワークを介して、１つの機能を複数の装置で分担、共同して処理するクラウドコンピューティングの構成をとることも可能である。
【００４５】
なお、本技術は、以下のような構成を取ることが可能である。
（１）
放送波に重畳されて送信されたＴＬＶパケットが含むＴＭＣＣ情報から前記ＴＬＶパケットのスロット情報及びストリーム識別情報を取得し、受信した前記ＴＬＶパケットに前記スロット情報に対応する前記ストリーム識別情報を挿入する復調回路。
（２）
前記ＴＬＶパケットのヘッダ部分に対してパケット種別に該当する領域のうち上位に位置するデータ長が４ビットのデータを前記データ長が４ビットの前記ストリーム識別情報のデータに置換することで、受信した前記ＴＬＶパケットに前記スロット情報に対応する前記ストリーム識別情報を挿入する前記（１）に記載した復調回路。
（３）
前記ＴＬＶパケットのパケットヘッダに該当する領域のうち連続した４ビットのデータをデータ長が４ビットの前記ストリーム識別情報のデータに置換することで、受信した前記ＴＬＶパケットに前記スロット情報に対応する前記ストリーム識別情報を挿入する前記（１）に記載した復調回路。
（４）
前記ＴＬＶパケットのパケットヘッダに該当する領域及びパケット種別に該当する領域のうち前記パケットヘッダのデータ長を示す領域を除く連続した４ビットのデータをデータ長が４ビットの前記ストリーム識別情報のデータに置換することで、受信した前記ＴＬＶパケットに前記スロット情報に対応する前記ストリーム識別情報を挿入する前記（１）に記載した復調回路。
（５）
データ長が４ビットの前記ストリーム識別情報のデータを前記ＴＬＶパケットのデータ部の前または後に挿入することで、受信した前記ＴＬＶパケットに前記スロット情報に対応する前記ストリーム識別情報を挿入する前記（１）に記載した復調回路。
（６）
前記パケット種別のうち伝送制御信号及びヌルパケットに割り当てられている値を、前記ストリーム識別情報のデータに置換する対象から除外する前記（２）又は（４）に記載した復調回路。
（７）
前記ＴＬＶパケットがフレームの先頭にある場合には、前記ＴＬＶパケットのうちＴＬＶパケットの先頭を示すパケット種別である「０ｘ７Ｆ」の種別を「０ｘ４０」に変換する前記（１）から（６）のうちいずれかに記載した復調回路。
（８）
放送波に重畳されて送信されたＴＬＶパケットが含むＴＭＣＣ情報から前記ＴＬＶパケットのスロット情報とストリーム識別情報を取得し、受信した前記ＴＬＶパケットに前記スロット情報に対応する前記ストリーム識別情報を挿入する復調方法。
（９）
前記ＴＬＶパケットのヘッダ部分に対してパケット種別に該当する領域のうち上位に位置するデータ長が４ビットのデータを前記データ長が４ビットの前記ストリーム識別情報のデータに置換することで、受信した前記ＴＬＶパケットに前記スロット情報に対応する前記ストリーム識別情報を挿入する前記（８）に記載した復調方法。
（１０）
前記ＴＬＶパケットのパケットヘッダに該当する領域のうち連続した４ビットのデータをデータ長が４ビットの前記ストリーム識別情報のデータに置換することで、受信した前記ＴＬＶパケットに前記スロット情報に対応する前記ストリーム識別情報を挿入する前記（８）に記載した復調方法。
（１１）
前記ＴＬＶパケットのパケットヘッダに該当する領域及びパケット種別に該当する領域のうち前記パケットヘッダのデータ長を示す領域を除く連続した４ビットのデータをデータ長が４ビットの前記ストリーム識別情報のデータに置換することで、受信した前記ＴＬＶパケットに前記スロット情報に対応する前記ストリーム識別情報を挿入する前記（８）に記載した復調方法。
（１２）
データ長が４ビットの前記ストリーム識別情報のデータを前記ＴＬＶパケットのデータ部の前または後に挿入することで、受信した前記ＴＬＶパケットに前記スロット情報に対応する前記ストリーム識別情報を挿入する前記（８）に記載した復調方法。
（１３）
前記パケット種別のうち伝送制御信号及びヌルパケットに割り当てられている値を、前記ストリーム識別情報のデータに置換する対象から除外する前記（９）又は（１１）に記載した復調方法。
（１４）
前記ＴＬＶパケットがフレームの先頭にある場合には、前記ＴＬＶパケットのうちＴＬＶパケットの先頭を示すパケット種別である「０ｘ７Ｆ」の種別を「０ｘ４０」に変換する前記（８）から（１３）のうちいずれかに記載した復調方法。
（１５）
放送波に重畳されて送信されたＴＬＶパケットが含むＴＭＣＣ情報から前記ＴＬＶパケットのスロット情報及びストリーム識別情報を取得し、受信した前記ＴＬＶパケットに前記スロット情報に対応する前記ストリーム識別情報を挿入する復調回路と、
前記復調回路が復調した復調信号をケーブル放送向けにＱＡＭ変調する送信側バックエンド処理回路と、を備える送信装置。
（１６）
前記復調回路は、前記ＴＬＶパケットのヘッダ部分に対してパケット種別に該当する領域のうち上位に位置するデータ長が４ビットのデータを前記データ長が４ビットの前記ストリーム識別情報のデータに置換することで、受信した前記ＴＬＶパケットに前記スロット情報に対応する前記ストリーム識別情報を挿入する前記（１５）に記載した送信装置。
（１７）
前記復調回路は、前記ＴＬＶパケットのパケットヘッダに該当する領域のうち連続した４ビットのデータをデータ長が４ビットの前記ストリーム識別情報のデータに置換することで、受信した前記ＴＬＶパケットに前記スロット情報に対応する前記ストリーム識別情報を挿入する前記（１５）に記載した送信装置。
（１８）
前記復調回路は、前記ＴＬＶパケットのパケットヘッダに該当する領域及びパケット種別に該当する領域のうち前記パケットヘッダのデータ長を示す領域を除く連続した４ビットのデータをデータ長が４ビットの前記ストリーム識別情報のデータに置換することで、受信した前記ＴＬＶパケットに前記スロット情報に対応する前記ストリーム識別情報を挿入する前記（１５）に記載した送信装置。
（１９）
前記復調回路は、データ長が４ビットの前記ストリーム識別情報のデータを前記ＴＬＶパケットのデータ部の前または後に挿入することで、受信した前記ＴＬＶパケットに前記スロット情報に対応する前記ストリーム識別情報を挿入する前記（１５）に記載した送信装置。
（２０）
前記復調回路は、前記パケット種別のうち伝送制御信号及びヌルパケットに割り当てられている値を、前記ストリーム識別情報のデータに置換する対象から除外する前記（１６）又は（１８）に記載した送信装置。
（２１）
前記ＴＬＶパケットがフレームの先頭にある場合には、前記ＴＬＶパケットのうちＴＬＶパケットの先頭を示すパケット種別である「０ｘ７Ｆ」の種別を「０ｘ４０」に変換する前記（１５）から（２０）のうちいずれかに記載した送信装置。
【符号の説明】
【００４６】
１…送信装置、１１…送信側チューナ、１２…復調回路、１２ａ…送信側フロントエンド処理回路、１２ｂ…ストリームＩＤ挿入部、１３…送信側バックエンド処理回路、２…受信装置、２１…受信側チューナ、２２…受信側フロントエンド処理回路、２３…受信側バックエンド処理回路、３…ネットワーク、４…アンテナ、５…ディスプレイ、１０…放送システム、１００…ＣＰＵ、１０１…バス、１０２…入出力インターフェース、１０３…ＲＯＭ、１０４…ＲＡＭ、１０５…入力部、１０６…出力部、１０７…記憶部、１０８…通信部、１０９…リムーバブルメディア、１１０…ドライブ
【図１】
2020174852.tif 000003
【図２】
2020174852.tif 000004
【図３】
2020174852.tif 000005
【図４】
2020174852.tif 000006
【図５】
2020174852.tif 000007
【図６】
2020174852.tif 000008
【図７】
2020174852.tif 000009
【図８】
2020174852.tif 000010
【図９】
2020174852.tif 000011
【図１０】
2020174852.tif 000012
【図１１】
2020174852.tif 000013
【図１２】
2020174852.tif 000014
【図１３】
2020174852.tif 000015
【図１４】
2020174852.tif 000016
【国際調査報告】
2020174852.tif 000017
2020174852.tif 000018
2020174852.tif 000019
2020174852.tif 000020